(57)【特許請求の範囲】
【請求項１】
物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群の全てのレンズ群が光軸方向に移動し、
第１レンズ群は、物体側から順に、負レンズ、及び少なくとも一方の面が非球面の非球面樹脂レンズからなる正レンズの２枚のレンズで構成され、
第２レンズ群は、物体側から順に、物体側から順に位置する正レンズと負レンズの接合レンズ、及び少なくとも一方の面が非球面の非球面樹脂レンズからなる負レンズの３枚のレンズで構成され、
次の条件式（１）、（２）及び（３）を満足することを特徴とするズームレンズ系。
（１）１．８＜ｆｔ／ｆ２＜２．４
（２）−１．５＜ｆ１／ｆ２＜−１．２
（３）−２．５＜ｆ１２／ｆ２３＜−１．３
但し、
ｆｔ：長焦点距離端における全系の焦点距離、
ｆ１：第１レンズ群の焦点距離、
ｆ２：第２レンズ群の焦点距離、
ｆ１２：第１レンズ群中の正レンズの焦点距離、
ｆ２３：第２レンズ群中の像側の負レンズの焦点距離。
【請求項２】
請求項１記載のズームレンズ系において、次の条件式（４）を満足するズームレンズ系。
（４）−２．４＜ｆ１２／ｆ１＜−１．８
但し、
ｆ１２：第１レンズ群中の正レンズの焦点距離、
ｆ１：第１レンズ群の焦点距離。
【請求項３】
請求項１または２記載のズームレンズ系において、次の条件式（５）を満足するズームレンズ系。
（５）２．５＜（ｒａ２３＋ｒｂ２３）／（ｒａ２３−ｒｂ２３）＜４．５
但し、
ｒａ２３：第２レンズ群中の像側の負レンズの物体側の面の曲率半径、
ｒｂ２３：第２レンズ群中の像側の負レンズの像側の面の曲率半径。
【請求項４】
請求項１ないし３のいずれか１項記載のズームレンズ系において、次の条件式（６）及び（７）を満足するズームレンズ系。
（６）１．８＜ｎ２１
（７）ν２２＜２２
但し、
ｎ２１：第２レンズ群中の正レンズのｄ線に対する屈折率、
ν２２：第２レンズ群中の物体側の負レンズのｄ線に対するアッベ数。
【請求項５】
請求項１ないし４のいずれか１項記載のズームレンズ系において、短焦点距離端から長焦点距離端への変倍に際し、第３レンズ群が像側に移動し、次の条件式（８）及び（９）を満足するズームレンズ系。
（８）４．０＜ｍ２ｔ／ｍ２ｗ＜５．０
（９）１．０５＜ｍ３ｔ／ｍ３ｗ＜１．２５
但し、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率。
【請求項６】
物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群の全てのレンズ群が光軸方向に移動し、
第１レンズ群は、物体側から順に、負レンズ、及び少なくとも一方の面が非球面の非球面樹脂レンズからなる正レンズの２枚のレンズで構成され、
第２レンズ群は、物体側から順に、物体側から順に位置する正レンズと負レンズの接合レンズ、及び少なくとも一方の面が非球面の非球面樹脂レンズからなる負レンズの３枚のレンズで構成され、
次の条件式（１）、（２）及び（４）を満足することを特徴とするズームレンズ系。
（１）１．８＜ｆｔ／ｆ２＜２．４
（２）−１．５＜ｆ１／ｆ２＜−１．２
（４）−２．４＜ｆ１２／ｆ１＜−１．８
但し、
ｆｔ：長焦点距離端における全系の焦点距離、
ｆ１：第１レンズ群の焦点距離、
ｆ２：第２レンズ群の焦点距離、
ｆ１２：第１レンズ群中の正レンズの焦点距離。
【請求項７】
請求項６記載のズームレンズ系において、次の条件式（５）を満足するズームレンズ系。
（５）２．５＜（ｒａ２３＋ｒｂ２３）／（ｒａ２３−ｒｂ２３）＜４．５
但し、
ｒａ２３：第２レンズ群中の像側の負レンズの物体側の面の曲率半径、
ｒｂ２３：第２レンズ群中の像側の負レンズの像側の面の曲率半径。
【請求項８】
請求項６または７記載のズームレンズ系において、次の条件式（６）及び（７）を満足するズームレンズ系。
（６）１．８＜ｎ２１
（７）ν２２＜２２
但し、
ｎ２１：第２レンズ群中の正レンズのｄ線に対する屈折率、
ν２２：第２レンズ群中の物体側の負レンズのｄ線に対するアッベ数。
【請求項９】
請求項６ないし８のいずれか１項記載のズームレンズ系において、短焦点距離端から長焦点距離端への変倍に際し、第３レンズ群が像側に移動し、次の条件式（８）及び（９）を満足するズームレンズ系。
（８）４．０＜ｍ２ｔ／ｍ２ｗ＜５．０
（９）１．０５＜ｍ３ｔ／ｍ３ｗ＜１．２５
但し、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率。
【請求項１０】
物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群の全てのレンズ群が光軸方向に移動し、
第１レンズ群は、物体側から順に、負レンズ、及び少なくとも一方の面が非球面の非球面樹脂レンズからなる正レンズの２枚のレンズで構成され、
第２レンズ群は、物体側から順に、物体側から順に位置する正レンズと負レンズの接合レンズ、及び少なくとも一方の面が非球面の非球面樹脂レンズからなる負レンズの３枚のレンズで構成され、
次の条件式（１）、（２）及び（５）を満足することを特徴とするズームレンズ系。
（１）１．８＜ｆｔ／ｆ２＜２．４
（２）−１．５＜ｆ１／ｆ２＜−１．２
（５）２．５＜（ｒａ２３＋ｒｂ２３）／（ｒａ２３−ｒｂ２３）＜４．５
但し、
ｆｔ：長焦点距離端における全系の焦点距離、
ｆ１：第１レンズ群の焦点距離、
ｆ２：第２レンズ群の焦点距離、
ｒａ２３：第２レンズ群中の像側の負レンズの物体側の面の曲率半径、
ｒｂ２３：第２レンズ群中の像側の負レンズの像側の面の曲率半径。
【請求項１１】
請求項１０記載のズームレンズ系において、次の条件式（６）及び（７）を満足するズームレンズ系。
（６）１．８＜ｎ２１
（７）ν２２＜２２
但し、
ｎ２１：第２レンズ群中の正レンズのｄ線に対する屈折率、
ν２２：第２レンズ群中の物体側の負レンズのｄ線に対するアッベ数。
【請求項１２】
請求項１０または１１記載のズームレンズ系において、短焦点距離端から長焦点距離端への変倍に際し、第３レンズ群が像側に移動し、次の条件式（８）及び（９）を満足するズームレンズ系。
（８）４．０＜ｍ２ｔ／ｍ２ｗ＜５．０
（９）１．０５＜ｍ３ｔ／ｍ３ｗ＜１．２５
但し、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率。
【請求項１３】
物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群の全てのレンズ群が光軸方向に移動し、
第１レンズ群は、物体側から順に、負レンズ、及び少なくとも一方の面が非球面の非球面樹脂レンズからなる正レンズの２枚のレンズで構成され、
第２レンズ群は、物体側から順に、物体側から順に位置する正レンズと負レンズの接合レンズ、及び少なくとも一方の面が非球面の非球面樹脂レンズからなる負レンズの３枚のレンズで構成され、
次の条件式（１）、（２）、（６）及び（７）を満足することを特徴とするズームレンズ系。
（１）１．８＜ｆｔ／ｆ２＜２．４
（２）−１．５＜ｆ１／ｆ２＜−１．２
（６）１．８＜ｎ２１
（７）ν２２＜２２
但し、
ｆｔ：長焦点距離端における全系の焦点距離、
ｆ１：第１レンズ群の焦点距離、
ｆ２：第２レンズ群の焦点距離、
ｎ２１：第２レンズ群中の正レンズのｄ線に対する屈折率、
ν２２：第２レンズ群中の物体側の負レンズのｄ線に対するアッベ数。
【請求項１４】
請求項１３記載のズームレンズ系において、短焦点距離端から長焦点距離端への変倍に際し、第３レンズ群が像側に移動し、次の条件式（８）及び（９）を満足するズームレンズ系。
（８）４．０＜ｍ２ｔ／ｍ２ｗ＜５．０
（９）１．０５＜ｍ３ｔ／ｍ３ｗ＜１．２５
但し、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率。
【請求項１５】
物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群及び第２レンズ群が光軸方向に移動し、かつ第３レンズ群が像側に移動し、
第１レンズ群は、物体側から順に、負レンズ、及び少なくとも一方の面が非球面の非球面樹脂レンズからなる正レンズの２枚のレンズで構成され、
第２レンズ群は、物体側から順に、物体側から順に位置する正レンズと負レンズの接合レンズ、及び少なくとも一方の面が非球面の非球面樹脂レンズからなる負レンズの３枚のレンズで構成され、
次の条件式（１）、（２）、（８）及び（９）を満足することを特徴とするズームレンズ系。
（１）１．８＜ｆｔ／ｆ２＜２．４
（２）−１．５＜ｆ１／ｆ２＜−１．２
（８）４．０＜ｍ２ｔ／ｍ２ｗ＜５．０
（９）１．０５＜ｍ３ｔ／ｍ３ｗ＜１．２５
但し、
ｆｔ：長焦点距離端における全系の焦点距離、
ｆ１：第１レンズ群の焦点距離、
ｆ２：第２レンズ群の焦点距離、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率。
【請求項１６】
請求項１ないし１５のいずれか１項記載のズームレンズ系において、第３レンズ群は、フォーカシング時に移動するフォーカスレンズ群である１枚の両凸正レンズであって、少なくとも一方の面が非球面の非球面樹脂レンズからなるズームレンズ系。
【請求項１７】
請求項１ないし１６のいずれか１項記載のズームレンズ系を備えた電子撮像装置。
【発明の詳細な説明】
【技術分野】
【０００１】
本発明は、小型軽量なデジタルカメラ等に用いられる、変倍比（ズーム比）が５倍程度で低価格なズームレンズ系およびこれを用いた電子撮像装置に関する。
【背景技術】
【０００２】
近年のデジタルカメラの急速な普及に伴い、より安価なデジタルカメラが求められており、撮影光学系に対しても低価格化が強く要望されている。一方、カメラの高付加価値化を図るために、高変倍比の要求も強く、低価格なデジタルカメラにおいても５倍程度の変倍比を持つズームレンズ系が求められている。
【０００３】
変倍比が５倍を超えるズームレンズ系として、正レンズ群先行型（いわゆるポジティブリード型）の４群構成のズームレンズ系が用いられることが多い。しかしこのタイプは、高変倍化を図るのには適しているが、レンズ構成枚数が多くなるため、低コスト化と小型化が難しい。
【０００４】
一方、負レンズ群先行型（いわゆるネガティブリード型）の３群構成のズームレンズ系として、樹脂レンズを多用することで低コスト化を図ったズームレンズ系が知られている（特許文献１−４）。しかし特許文献１−４のズームレンズ系は、変倍比が３倍程度であり、高変倍化が十分に達成されているとは言えない。
【先行技術文献】
【特許文献】
【０００５】
【特許文献１】特開２００７−１９３１４０号公報
【特許文献２】特開２００８−２３３４９９号公報
【特許文献３】特開２００８−２３３８７１号公報
【特許文献４】特開２００９−０９２７４０号公報
【発明の概要】
【発明が解決しようとする課題】
【０００６】
本発明は、負レンズ群先行型（いわゆるネガティブリード型）の３群構成でありながら、変倍比が５倍程度で、低コストで小型であり、諸収差を良好に補正することができるズームレンズ系を得ることを目的とする。
【課題を解決するための手段】
【０００７】
本発明のズームレンズ系は、第１の態様では、物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群の全てのレンズ群が光軸方向に移動し、第１レンズ群は、物体側から順に、負レンズ、及び少なくとも一方の面が非球面の非球面樹脂レンズからなる正レンズの２枚のレンズで構成され、第２レンズ群は、物体側から順に、物体側から順に位置する正レンズと負レンズの接合レンズ、及び少なくとも一方の面が非球面の非球面樹脂レンズからなる負レンズの３枚のレンズで構成され、次の条件式（１）、（２）及び（３）を満足することを特徴としている。
（１）１．８＜ｆｔ／ｆ２＜２．４
（２）−１．５＜ｆ１／ｆ２＜−１．２
（３）−２．５＜ｆ１２／ｆ２３＜−１．３
但し、
ｆｔ：長焦点距離端における全系の焦点距離、
ｆ１：第１レンズ群の焦点距離、
ｆ２：第２レンズ群の焦点距離、
ｆ１２：第１レンズ群中の正レンズの焦点距離、
ｆ２３：第２レンズ群中の像側の負レンズの焦点距離。
である。
【０００８】
本発明のズームレンズ系は、第２の態様では、物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群の全てのレンズ群が光軸方向に移動し、第１レンズ群は、物体側から順に、負レンズ、及び少なくとも一方の面が非球面の非球面樹脂レンズからなる正レンズの２枚のレンズで構成され、第２レンズ群は、物体側から順に、物体側から順に位置する正レンズと負レンズの接合レンズ、及び少なくとも一方の面が非球面の非球面樹脂レンズからなる負レンズの３枚のレンズで構成され、次の条件式（１）、（２）及び（４）を満足することを特徴としている。
（１）１．８＜ｆｔ／ｆ２＜２．４
（２）−１．５＜ｆ１／ｆ２＜−１．２
（４）−２．４＜ｆ１２／ｆ１＜−１．８
但し、
ｆｔ：長焦点距離端における全系の焦点距離、
ｆ１：第１レンズ群の焦点距離、
ｆ２：第２レンズ群の焦点距離、
ｆ１２：第１レンズ群中の正レンズの焦点距離、
である。
【０００９】
本発明のズームレンズ系は、第３の態様では、物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群の全てのレンズ群が光軸方向に移動し、第１レンズ群は、物体側から順に、負レンズ、及び少なくとも一方の面が非球面の非球面樹脂レンズからなる正レンズの２枚のレンズで構成され、第２レンズ群は、物体側から順に、物体側から順に位置する正レンズと負レンズの接合レンズ、及び少なくとも一方の面が非球面の非球面樹脂レンズからなる負レンズの３枚のレンズで構成され、次の条件式（１）、（２）及び（５）を満足することを特徴としている。
（１）１．８＜ｆｔ／ｆ２＜２．４
（２）−１．５＜ｆ１／ｆ２＜−１．２
（５）２．５＜（ｒａ２３＋ｒｂ２３）／（ｒａ２３−ｒｂ２３）＜４．５
但し、
ｆｔ：長焦点距離端における全系の焦点距離、
ｆ１：第１レンズ群の焦点距離、
ｆ２：第２レンズ群の焦点距離、
ｒａ２３：第２レンズ群中の像側の負レンズの物体側の面の曲率半径、
ｒｂ２３：第２レンズ群中の像側の負レンズの像側の面の曲率半径、
である。
【００１０】
本発明のズームレンズ系は、第４の態様では、物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群ないし第３レンズ群の全てのレンズ群が光軸方向に移動し、第１レンズ群は、物体側から順に、負レンズ、及び少なくとも一方の面が非球面の非球面樹脂レンズからなる正レンズの２枚のレンズで構成され、第２レンズ群は、物体側から順に、物体側から順に位置する正レンズと負レンズの接合レンズ、及び少なくとも一方の面が非球面の非球面樹脂レンズからなる負レンズの３枚のレンズで構成され、次の条件式（１）、（２）、（６）及び（７）を満足することを特徴としている。
（１）１．８＜ｆｔ／ｆ２＜２．４
（２）−１．５＜ｆ１／ｆ２＜−１．２
（６）１．８＜ｎ２１
（７）ν２２＜２２
但し、
ｆｔ：長焦点距離端における全系の焦点距離、
ｆ１：第１レンズ群の焦点距離、
ｆ２：第２レンズ群の焦点距離、
ｎ２１：第２レンズ群中の正レンズのｄ線に対する屈折率、
ν２２：第２レンズ群中の物体側の負レンズのｄ線に対するアッベ数、
である。
【００１１】
本発明のズームレンズ系は、第５の態様では、物体側から順に、負の屈折力を持つ第１レンズ群、正の屈折力を持つ第２レンズ群、及び正の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が増加するように、第１レンズ群及び第２レンズ群が光軸方向に移動し、かつ第３レンズ群が像側に移動し、第１レンズ群は、物体側から順に、負レンズ、及び少なくとも一方の面が非球面の非球面樹脂レンズからなる正レンズの２枚のレンズで構成され、第２レンズ群は、物体側から順に、物体側から順に位置する正レンズと負レンズの接合レンズ、及び少なくとも一方の面が非球面の非球面樹脂レンズからなる負レンズの３枚のレンズで構成され、次の条件式（１）、（２）、（８）及び（９）を満足することを特徴としている。
（１）１．８＜ｆｔ／ｆ２＜２．４
（２）−１．５＜ｆ１／ｆ２＜−１．２
（８）４．０＜ｍ２ｔ／ｍ２ｗ＜５．０
（９）１．０５＜ｍ３ｔ／ｍ３ｗ＜１．２５
但し、
ｆｔ：長焦点距離端における全系の焦点距離、
ｆ１：第１レンズ群の焦点距離、
ｆ２：第２レンズ群の焦点距離、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率、
である。
【００１４】
第３レンズ群は、フォーカシング時に移動するフォーカスレンズ群である１枚の両凸正レンズであって、少なくとも一方の面が非球面の非球面樹脂レンズとすることができる。
【００１５】
本発明は、電子撮像装置の態様では、以上のように構成されたズームレンズ系を備えている。
【発明の効果】
【００１６】
本発明によれば、負レンズ群先行型（いわゆるネガティブリード型）の３群構成でありながら、変倍比が５倍程度で、低コストで小型であり、諸収差を良好に補正することができるズームレンズ系が得られる。
【図面の簡単な説明】
【００１７】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の中間焦点距離における無限遠合焦時の諸収差図である。
【図４】図１のように構成されたズームレンズ系の長焦点距離端における無限遠合焦時の諸収差図である。
【図５】本発明によるズームレンズ系の数値実施例２の短焦点距離端における無限遠合焦時のレンズ構成図である。
【図６】図５のように構成されたズームレンズ系の短焦点距離端における無限遠合焦時の諸収差図である。
【図７】図５のように構成されたズームレンズ系の中間焦点距離における無限遠合焦時の諸収差図である。
【図８】図５のように構成されたズームレンズ系の長焦点距離端における無限遠合焦時の諸収差図である。
【図９】本発明によるズームレンズ系の数値実施例３の短焦点距離端における無限遠合焦時のレンズ構成図である。
【図１０】図９のように構成されたズームレンズ系の短焦点距離端における無限遠合焦時の諸収差図である。
【図１１】図９のように構成されたズームレンズ系の中間焦点距離における無限遠合焦時の諸収差図である。
【図１２】図９のように構成されたズームレンズ系の長焦点距離端における無限遠合焦時の諸収差図である。
【図１３】本発明によるズームレンズ系の数値実施例４の短焦点距離端における無限遠合焦時のレンズ構成図である。
【図１４】図１３のように構成されたズームレンズ系の短焦点距離端における無限遠合焦時の諸収差図である。
【図１５】図１３のように構成されたズームレンズ系の中間焦点距離における無限遠合焦時の諸収差図である。
【図１６】図１３のように構成されたズームレンズ系の長焦点距離端における無限遠合焦時の諸収差図である。
【図１７】本発明によるズームレンズ系の数値実施例５の短焦点距離端における無限遠合焦時のレンズ構成図である。
【図１８】図１７のように構成されたズームレンズ系の短焦点距離端における無限遠合焦時の諸収差図である。
【図１９】図１７のように構成されたズームレンズ系の中間焦点距離における無限遠合焦時の諸収差図である。
【図２０】図１７のように構成されたズームレンズ系の長焦点距離端における無限遠合焦時の諸収差図である。
【図２１】本発明によるズームレンズ系の数値実施例６の短焦点距離端における無限遠合焦時のレンズ構成図である。
【図２２】図２１のように構成されたズームレンズ系の短焦点距離端における無限遠合焦時の諸収差図である。
【図２３】図２１のように構成されたズームレンズ系の中間焦点距離における無限遠合焦時の諸収差図である。
【図２４】図２１のように構成されたズームレンズ系の長焦点距離端における無限遠合焦時の諸収差図である。
【図２５】本発明によるズームレンズ系の数値実施例７の短焦点距離端における無限遠合焦時のレンズ構成図である。
【図２６】図２５のように構成されたズームレンズ系の短焦点距離端における無限遠合焦時の諸収差図である。
【図２７】図２５のように構成されたズームレンズ系の中間焦点距離における無限遠合焦時の諸収差図である。
【図２８】図２５のように構成されたズームレンズ系の長焦点距離端における無限遠合焦時の諸収差図である。
【図２９】本発明によるズームレンズ系の数値実施例８の短焦点距離端における無限遠合焦時のレンズ構成図である。
【図３０】図２９のように構成されたズームレンズ系の短焦点距離端における無限遠合焦時の諸収差図である。
【図３１】図２９のように構成されたズームレンズ系の中間焦点距離における無限遠合焦時の諸収差図である。
【図３２】図２９のように構成されたズームレンズ系の長焦点距離端における無限遠合焦時の諸収差図である。
【図３３】本発明によるズームレンズ系のズーム軌跡を示す簡易移動図である。
【発明を実施するための形態】
【００１８】
本実施形態のズームレンズ系は、図３３の簡易移動図に示すように、物体側から順に、負の屈折力を持つ第１レンズ群Ｇ１、正の屈折力を持つ第２レンズ群Ｇ２、及び正の屈折力を持つ第３レンズ群Ｇ３から構成されている。第１レンズ群Ｇ１と第２レンズ群Ｇ２の間に位置する絞りＳは、第２レンズ群Ｇ２と一体に移動する。フォーカシングは第３レンズ群Ｇ３で行う。Ｉは像面である。
【００１９】
短焦点距離端（Ｗ）から長焦点距離端（Ｔ）への変倍（ズーミング）に際し、第１レンズ群Ｇ１と第２レンズ群Ｇ２のレンズ群間隔が減少し、第２レンズ群Ｇ２と第３レンズ群Ｇ３のレンズ群間隔が増加するように、第１レンズ群Ｇ１ないし第３レンズ群Ｇ３の全てのレンズ群が光軸方向に移動する。
【００２０】
より具体的には、短焦点距離端（Ｗ）から長焦点距離端（Ｔ）への変倍に際し、第１レンズ群Ｇ１は一旦像側に移動してから物体側に移動し、第２レンズ群Ｇ２は単調に物体側に移動し、第３レンズ群Ｇ３は像側に凸の軌跡を描きながら像側に移動する。
尚、第３レンズ群Ｇ３の移動軌跡は図示したものに限定されない。例えば、第３レンズ群Ｇ３は、単調に像側に移動する移動軌跡、又は物体側に凸の軌跡を描きながら像側に移動する移動軌跡を採ることができる。
【００２１】
第１レンズ群Ｇ１は、全数値実施例１−８を通じて、物体側から順に、負レンズ１１及び正レンズ１２の２枚のレンズで構成される。正レンズ１２は、全数値実施例１−８を通じて、その両面が非球面の非球面樹脂レンズであるが、物体側又は像側のいずれか一方の面だけが非球面の非球面樹脂レンズとすることも可能である。
【００２２】
第２レンズ群Ｇ２は、全数値実施例１−８を通じて、物体側から順に、物体側から順に位置する正レンズ２１と負レンズ２２の接合レンズ、及び負レンズ２３の３枚のレンズで構成される。負レンズ２３は、全数値実施例１−８を通じて、その両面が非球面の非球面樹脂レンズであるが、物体側又は像側のいずれか一方の面だけが非球面の非球面樹脂レンズとすることも可能である。
【００２３】
第３レンズ群Ｇ３は、全数値実施例１−８を通じて、１枚の正レンズ３１で構成される。この正レンズ３１は、全数値実施例１−８を通じて、その両面が非球面の非球面樹脂レンズであるが、物体側又は像側のいずれか一方の面だけが非球面の非球面樹脂レンズとすることも可能である。
【００２４】
このように本実施形態のズームレンズ系は、第１レンズ群Ｇ１ないし第３レンズ群Ｇ３の全てのレンズ群を光軸方向に移動させて変倍（ズーミング）を行うことにより、５倍程度まで変倍比の増大を図っている。また、第１レンズ群Ｇ１ないし第３レンズ群Ｇ３の全てのレンズ群中には、球面収差や歪曲収差の諸収差を補正するための非球面レンズを配置する必要があるが、この非球面レンズを高価なガラス非球面レンズではなく、樹脂製の非球面レンズとすることで低コスト化を図っている。
【００２５】
条件式（１）は、長焦点距離端における全系の焦点距離と、第２レンズ群の焦点距離との比を規定するものであり、球面収差やコマ収差を良好に補正するとともに、光学系を小型化するための条件式である。
条件式（１）の上限を超えると、第２レンズ群の屈折力が強くなりすぎて、ズーム全域で球面収差やコマ収差を補正することが難しくなる。
条件式（１）の下限を超えると、第２レンズ群の屈折力が弱くなりすぎて、変倍に際して第２レンズ群の移動量が増加する結果、光学系を小型化することが難しくなる。
【００２６】
条件式（２）は、第１レンズ群の焦点距離と、第２レンズ群の焦点距離との比を規定するものであり、軸外色収差を良好に補正するとともに、光学系を小型化するための条件式である。
条件式（２）の上限を超えると、第１レンズ群の屈折力が強くなりすぎて、特に短焦点距離端での軸外収差補正が困難となる。
条件式（２）の下限を超えると、第１レンズ群の屈折力が弱くなりすぎて、前玉径が大きくなるのに伴って第１レンズ群厚が厚くなるため、光学系を小型化することが難しくなる。
【００２７】
条件式（３）は、第１レンズ群中の正レンズの焦点距離と、第２レンズ群中の像側の負レンズの焦点距離との比を規定するものであり、温度変化時の樹脂レンズの形状及び屈折率の変化によるピント変動の影響を抑えるための条件式である。
本実施形態のズームレンズ系では、第１レンズ群中の正レンズ及び第２レンズ群中の像側の負レンズに樹脂レンズを用いることで、温度変化時のピント変動について、第１レンズ群中の正レンズで発生したピント変動を、第２レンズ群中の像側の負レンズで発生するピント変動で打ち消し、全系でのピント変動を小さく抑える構成としている。
条件式（３）の上限を超えると、第１レンズ群中の正レンズの屈折力が強くなりすぎて、温度変化時の第１レンズ群中の正レンズによるピント変動の影響が残存してしまう。
条件式（３）の下限を超えると、第２レンズ群中の像側の負レンズの屈折力が強くなりすぎて、温度変化時の第２レンズ群中の像側の負レンズによるピント変動の影響が残存してしまう。
【００２８】
条件式（４）は、第１レンズ群中の正レンズの焦点距離と、第１レンズ群の焦点距離との比を規定するものであり、温度変化時の像面湾曲の変化を抑えるとともに、特に長焦点距離端での色収差を良好に補正するための条件式である。
条件式（４）の上限を超えると、第１レンズ群中の正レンズの屈折力が強くなりすぎて、温度変化時の第１レンズ群中の正レンズによる像面湾曲の変化が大きくなり性能が劣化するため好ましくない。
条件式（４）の下限を超えると、第１レンズ群中の正レンズの屈折力が弱くなりすぎて、特に長焦点距離端での色収差を補正することが難しくなる。
【００２９】
条件式（５）は、第２レンズ群中の像側の負レンズの形状（シェーピングファクタ）を規定するものであり、コマ収差、非点収差を良好に補正するとともに、光学系を小型化するための条件式である。
条件式（５）の上限を超えると、第２レンズ群中の像側の負レンズが軸外光線を発散させる効果が小さくなり、光学系の小型化が困難になる。
条件式（５）の下限を超えると、第２レンズ群中の像側の負レンズの像側の面の曲率半径が小さくなりすぎ、コマ収差、非点収差の補正が困難となる。
【００３０】
条件式（６）は、第２レンズ群中の正レンズのｄ線に対する屈折率を規定するものであり、ペッツバール和を補正して良好な光学性能を得るための条件式である。
条件式（６）の下限を超えると、ペッツバール和の補正が不足して良好な光学性能が得られなくなる。
【００３１】
条件式（７）は、第２レンズ群中の物体側の負レンズのｄ線に対するアッベ数を規定するものであり、第２レンズ群で発生する色収差を小さくするための条件式である。
ズームレンズ系は各レンズ群が光軸上を移動して変倍するために、各レンズ群単独で発生する色収差をある程度補正しておく必要がある。特に変倍比を増大させたときには第２レンズ群の移動量も増大し、収差変動量も大きくなるため、第２レンズ群の色収差を十分に小さくする必要がある。
条件式（７）の上限を超えると、ズーム全域で軸上色収差を補正することが難しくなる。
【００３２】
条件式（８）は、長焦点距離端における無限遠合焦時の第２レンズ群の横倍率（結像倍率）と、短焦点距離端における無限遠合焦時の第２レンズ群の横倍率（結像倍率）との比を規定するものである。条件式（９）は、長焦点距離端における無限遠合焦時の第３レンズ群の横倍率（結像倍率）と、短焦点距離端における無限遠合焦時の第３レンズ群の横倍率（結像倍率）との比を規定するものである。条件式（８）及び（９）はともに、光学系の変倍比を増やしたときに、第２レンズ群と第３レンズ群の屈折力と光軸上の移動量を適切に設定し、光学系の大きさの増大を防ぐための条件式である。
第２レンズ群は、短焦点距離端から長焦点距離端にかけて物体側に移動することで横倍率を増加させている。条件式（８）の上限を超えると、第２レンズ群の変倍の負担が大きすぎ、第２レンズ群の変倍移動量が大きくなって光学系の小型化が困難になる。第２レンズ群の屈折力を増やして変倍移動量を小さくすれば小型化が可能となるが、短焦点距離端から長焦点距離端の変倍全域において収差補正が難しくなり、良好な性能を得ることができなくなる。条件式（８）の下限を超えると、第２レンズ群の短焦点距離端から長焦点距離端までの横倍率の増加が少なく、所望の変倍比を得ることが難しくなる。
第３レンズ群は、短焦点距離端から長焦点距離端にかけて像側に移動することで横倍率を増加させている。条件式（９）の上限を超えると、第３レンズ群の移動量が大きくなり、長焦点距離端でのバックフォーカスが不足してしまう。第３レンズ群の屈折力を強くすればバックフォーカス不足は回避が可能となるが、長焦点距離端での近距離物体へのフォーカシング時の像面湾曲変化を抑えることが難しくなる。条件式（９）の下限を超えると、第３レンズ群の短焦点距離端から長焦点距離端までの横倍率の増加が少なく、所望の変倍比を得ることが難しくなるか、あるいは第２レンズ群の変倍への負担が大きくなり、第２レンズ群の変倍移動量が大きくなって光学系の小型化が困難になる。
【００３３】
本実施形態のズームレンズ系は、第３レンズ群がフォーカスレンズ群であり、近距離物体に対して光軸上を物体側に移動して合焦する。この第３レンズ群を正の屈折力を持つ樹脂製の両凸単レンズとすることで、低コスト化とフォーカスレンズ群の軽量化を図ることができる。また、第３レンズ群をなす樹脂製の両凸単レンズの少なくとも１面を非球面とすることで、近距離物体へのフォーカシング時の性能劣化を小さく抑えることが可能となる。
【実施例】
【００３４】
次に具体的な数値実施例を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００３５】
以下に示す数値実施例１−８のレンズ構成は全て同一であるので、数値実施例１においてレンズ構成を詳細に説明し、数値実施例２−８ではレンズ構成の説明を省略する。
【００３６】
また数値実施例１−８では、短焦点距離端ではマイナス（樽型）の歪曲収差を比較的大きく発生させ、中間焦点距離及び長焦点距離端では歪曲収差の発生を抑えており、短焦点距離端では電子撮像素子で撮像した画像データを画像処理して歪曲収差の補正を行う。このため、有効な撮像領域、すなわち像高が、短焦点距離端と、中間焦点距離及び長焦点距離端とでは異なっている。
【００３７】
［数値実施例１］
図１〜図４と表１〜表４は、本発明によるズームレンズ系の数値実施例１を示している。図１は、短焦点距離端における無限遠合焦時のレンズ構成図である。図２、図３、図４はそれぞれ、短焦点距離端、中間焦点距離、長焦点距離端それぞれの無限遠合焦時の諸収差図である。表１は面データ、表２は各種データ、表３は非球面データ、表４はレンズ群データである。
【００３８】
本数値実施例１のズームレンズ系は、物体側から順に、負の屈折力を持つ第１レンズ群Ｇ１、正の屈折力を持つ第２レンズ群Ｇ２、及び正の屈折力を持つ第３レンズ群Ｇ３から構成されている。第３レンズ群Ｇ３は、フォーカシング時に移動するフォーカスレンズ群である（無限遠物体から有限距離物体へ合焦させるに際し第３レンズ群Ｇ３を物体側に繰り出してフォーカシングを行う）。
【００３９】
第１レンズ群Ｇ１（面番号１から４）は、物体側から順に、両凹負レンズ１１及び物体側に凸の正メニスカスレンズ１２の２枚のレンズで構成される。正メニスカスレンズ１２は、その両面が非球面の非球面樹脂レンズである。
【００４０】
第２レンズ群Ｇ２（面番号６から１０）は、物体側から順に、物体側から順に位置する両凸正レンズ２１と両凹負レンズ２２の接合レンズ、及び物体側に凸の負メニスカスレンズ２３の３枚のレンズで構成される。負メニスカスレンズ２３は、その両面が非球面の非球面樹脂レンズである。第１レンズ群Ｇ１と第２レンズ群Ｇ２の間に位置する絞りＳ（面番号５）は、第２レンズ群Ｇ２と一体に移動する。
【００４１】
第３レンズ群Ｇ３（面番号１１から１２）は、１枚の両凸正レンズ３１で構成される。この両凸正レンズ３１は、その両面が非球面の非球面樹脂レンズである。第３レンズ群Ｇ３（両凸正レンズ３１）の後方（像面Ｉとの間）には、光学フィルタＯＰ（面番号１３から１４）とカバーガラスＣＧ（面番号１５から１６）が配置されている。
【００４２】
（表１）
面データ
面番号          r          d          N(d)        νｄ
1          -129.549      0.700      1.72916       54.7
2             6.809      1.699
3*           13.132      2.021      1.63550       23.9
4*           44.831        d4
5絞            ∞        0.550
6             5.854      2.430      1.88300       40.8
7           -13.731      0.600      1.92286       20.9
8            38.640      0.100
9*            6.760      1.000      1.60641       27.2
10*           3.700       d10
11*          94.241      1.799      1.54358       55.7
12*         -10.707       d12
13             ∞        0.300      1.51680       64.2
14             ∞        0.560
15             ∞        0.500      1.51680       64.2
16             ∞          -
＊は回転対称非球面である。
（表２）
各種データ
ズーム比（変倍比）    4.83
短焦点距離端          中間焦点距離          長焦点距離端
FNO.            3.2                   4.9                   6.6
f              4.70                 10.30                 22.70
W              42.5                  21.9                  10.2
Y              3.59                  4.08                  4.08
fB             0.59                  0.59                  0.59
L             36.20                 31.72                 38.11
d4           16.683                 5.948                 0.468
d10           2.880                10.190                22.840
d12           3.631                 2.574                 1.800
（表３）
非球面データ（表示していない非球面係数は0.00である）
面番号   K          A4             A6             A8            A10
3      0.000  -0.7595E-04    -0.3901E-05     0.3832E-06    -0.6623E-08
4      0.000  -0.3230E-03    -0.8712E-05     0.5671E-06    -0.1337E-07
9      0.000  -0.1422E-02     0.9709E-04    -0.4081E-04     0.2999E-05
10     0.000  -0.1198E-03     0.4058E-03    -0.1218E-03     0.1145E-04
11     0.000   0.5009E-03    -0.6443E-04     0.4986E-05    -0.1210E-06
12     0.000   0.1104E-02    -0.1069E-03     0.7053E-05    -0.1577E-06
（表４）
レンズ群データ
群          始面          焦点距離
1              1            -13.69
2              6             10.51
3             11             17.80
【００４３】
［数値実施例２］
図５〜図８と表５〜表８は、本発明によるズームレンズ系の数値実施例２を示している。図５は、短焦点距離端における無限遠合焦時のレンズ構成図である。図６、図７、図８はそれぞれ、短焦点距離端、中間焦点距離、長焦点距離端それぞれの無限遠合焦時の諸収差図である。表５は面データ、表６は各種データ、表７は非球面データ、表８はレンズ群データである。
【００４４】
（表５）
面データ
面番号          r          d          N(d)        νｄ
1          -135.138      0.700      1.72916       54.7
2             6.798      1.696
3*           13.444      2.019      1.63550       23.9
4*           47.758        d4
5絞            ∞        0.550
6             5.832      2.474      1.88300       40.8
7           -13.646      0.600      1.92286       20.9
8            41.779      0.100
9*            7.223      1.000      1.60641       27.2
10*           3.784       d10
11*          64.052      1.790      1.54358       55.7
12*         -11.426       d12
13             ∞        0.300      1.51680       64.2
14             ∞        0.560
15             ∞        0.500      1.51680       64.2
16             ∞          -
＊は回転対称非球面である。
（表６）
各種データ
ズーム比（変倍比）    4.83
短焦点距離端          中間焦点距離          長焦点距離端
FNO.            3.3                   4.9                   6.6
f              4.70                 10.30                 22.70
W              42.5                  21.9                  10.2
Y              3.59                  4.08                  4.08
fB             0.59                  0.59                  0.59
L             36.20                 31.43                 38.15
d4           16.691                 5.677                 0.479
d10           2.880                 9.818                22.846
d12           3.598                 2.907                 1.800
（表７）
非球面データ（表示していない非球面係数は0.00である）
面番号   K          A4             A6             A8            A10
3      0.000  -0.3047E-04    -0.5818E-05     0.5537E-06    -0.1009E-07
4      0.000  -0.3181E-03    -0.5410E-05     0.4945E-06    -0.1338E-07
9      0.000  -0.1603E-02     0.1063E-03    -0.3707E-04     0.2745E-05
10     0.000  -0.2071E-03     0.3795E-03    -0.1024E-03     0.9877E-05
11     0.000   0.2736E-03    -0.1511E-04     0.1386E-05    -0.3258E-07
12     0.000   0.7275E-03    -0.3865E-04     0.2359E-05    -0.4801E-07
（表８）
レンズ群データ
群          始面          焦点距離
1              1            -13.65
2              6             10.50
3             11             17.99
【００４５】
［数値実施例３］
図９〜図１２と表９〜表１２は、本発明によるズームレンズ系の数値実施例３を示している。図９は、短焦点距離端における無限遠合焦時のレンズ構成図である。図１０、図１１、図１２はそれぞれ、短焦点距離端、中間焦点距離、長焦点距離端それぞれの無限遠合焦時の諸収差図である。表９は面データ、表１０は各種データ、表１１は非球面データ、表１２はレンズ群データである。
【００４６】
（表９）
面データ
面番号          r          d          N(d)        νｄ
1          -147.802      0.700      1.72916       54.7
2             6.774      1.698
3*           13.308      2.021      1.63550       23.9
4*           45.823        d4
5絞            ∞        0.550
6             5.773      2.487      1.88300       40.8
7           -13.876      0.600      1.92286       20.9
8            41.683      0.100
9*            7.980      1.000      1.60641       27.2
10*           3.960       d10
11*          61.964      1.791      1.54358       55.7
12*         -11.489       d12
13             ∞        0.300      1.51680       64.2
14             ∞        0.560
15             ∞        0.500      1.51680       64.2
16             ∞          -
＊は回転対称非球面である。
（表１０）
各種データ
ズーム比（変倍比）    4.83
短焦点距離端          中間焦点距離          長焦点距離端
FNO.            3.2                   4.8                   6.6
f              4.70                 10.30                 22.70
W              42.5                  21.9                  10.2
Y              3.59                  4.08                  4.08
fB             0.59                  0.59                  0.59
L             36.20                 31.42                 38.17
d4           16.693                 5.667                 0.487
d10           2.880                 9.796                22.853
d12           3.592                 2.924                 1.800
（表１１）
非球面データ（表示していない非球面係数は0.00である）
面番号   K          A4             A6             A8            A10
3      0.000  -0.3398E-04    -0.5261E-05     0.5544E-06    -0.1079E-07
4      0.000  -0.3253E-03    -0.4045E-05     0.4373E-06    -0.1304E-07
9      0.000  -0.1333E-02     0.2376E-04    -0.9724E-05     0.1323E-06
10     0.000   0.3975E-03     0.2326E-03    -0.3450E-04     0.2229E-05
11     0.000   0.2030E-03     0.3813E-05    -0.1642E-07     0.3173E-08
12     0.000   0.6001E-03    -0.1210E-04     0.5220E-06    -0.3568E-08
（表１２）
レンズ群データ
群          始面          焦点距離
1              1            -13.64
2              6             10.50
3             11             17.98
【００４７】
［数値実施例４］
図１３〜図１６と表１３〜表１６は、本発明によるズームレンズ系の数値実施例４を示している。図１３は、短焦点距離端における無限遠合焦時のレンズ構成図である。図１４、図１５、図１６はそれぞれ、短焦点距離端、中間焦点距離、長焦点距離端それぞれの無限遠合焦時の諸収差図である。表１３は面データ、表１４は各種データ、表１５は非球面データ、表１６はレンズ群データである。
【００４８】
（表１３）
面データ
面番号          r          d          N(d)        νｄ
1          -139.334      0.700      1.72916       54.7
2             6.776      1.679
3*           13.147      2.029      1.63550       23.9
4*           44.810        d4
5絞            ∞        0.550
6             5.868      2.462      1.88300       40.8
7           -22.871      0.600      1.94594       18.0
8            31.952      0.100
9*            6.400      1.000      1.60641       27.2
10*           3.732       d10
11*          64.025      1.780      1.54358       55.7
12*         -11.511       d12
13             ∞        0.300      1.51680       64.2
14             ∞        0.560
15             ∞        0.500      1.51680       64.2
16             ∞          -
＊は回転対称非球面である。
（表１４）
各種データ
ズーム比（変倍比）    4.83
短焦点距離端          中間焦点距離          長焦点距離端
FNO.            3.3                   4.8                   6.6
f              4.70                 10.30                 22.70
W              42.5                  21.9                  10.2
Y              3.59                  4.08                  4.08
fB             0.59                  0.59                  0.59
L             36.20                 31.43                 38.16
d4           16.697                 5.676                 0.495
d10           2.880                 9.811                22.866
d12           3.624                 2.943                 1.800
（表１５）
非球面データ（表示していない非球面係数は0.00である）
面番号   K          A4             A6             A8            A10
3      0.000  -0.2862E-05    -0.6802E-05     0.5711E-06    -0.1073E-07
4      0.000  -0.2916E-03    -0.6262E-05     0.4845E-06    -0.1338E-07
9      0.000  -0.1230E-02     0.7415E-04    -0.3317E-04     0.2221E-05
10     0.000   0.2382E-03     0.3256E-03    -0.8919E-04     0.7581E-05
11     0.000   0.2032E-03     0.8979E-05    -0.1514E-06     0.2612E-08
12     0.000   0.6549E-03    -0.1586E-04     0.9629E-06    -0.1670E-07
（表１６）
レンズ群データ
群          始面          焦点距離
1              1            -13.64
2              6             10.50
3             11             18.10
【００４９】
［数値実施例５］
図１７〜図２０と表１７〜表２０は、本発明によるズームレンズ系の数値実施例５を示している。図１７は、短焦点距離端における無限遠合焦時のレンズ構成図である。図１８、図１９、図２０はそれぞれ、短焦点距離端、中間焦点距離、長焦点距離端それぞれの無限遠合焦時の諸収差図である。表１７は面データ、表１８は各種データ、表１９は非球面データ、表２０はレンズ群データである。
【００５０】
（表１７）
面データ
面番号          r          d          N(d)        νｄ
1          -154.675      0.700      1.72916       54.7
2             6.745      1.670
3*           12.843      2.030      1.63550       23.9
4*           41.491        d4
5絞            ∞        0.550
6             5.893      2.390      1.88300       40.8
7           -14.350      0.700      1.92286       20.9
8            31.828      0.100
9*            6.507      1.000      1.60641       27.2
10*           3.785       d10
11*          65.578      1.780      1.54358       55.7
12*         -11.420       d12
13             ∞        0.300      1.51680       64.2
14             ∞        0.560
15             ∞        0.500      1.51680       64.2
16             ∞          -
＊は回転対称非球面である。
（表１８）
各種データ
ズーム比（変倍比）    4.83
短焦点距離端          中間焦点距離          長焦点距離端
FNO.            3.3                   4.9                   6.6
f              4.70                 10.30                 22.70
W              42.5                  21.9                  10.2
Y              3.59                  4.08                  4.08
fB             0.59                  0.59                  0.59
L             37.62                 32.85                 39.62
d4           16.694                 5.676                 0.518
d10           2.880                 9.796                22.879
d12           3.622                 2.960                 1.799
（表１９）
非球面データ（表示していない非球面係数は0.00である）
面番号   K          A4             A6             A8            A10
3      0.000  -0.4389E-05    -0.6608E-05     0.5661E-06    -0.1073E-07
4      0.000  -0.2930E-03    -0.5990E-05     0.4727E-06    -0.1334E-07
9      0.000  -0.1172E-02     0.8110E-04    -0.3398E-04     0.2279E-05
10     0.000   0.3265E-03     0.3387E-03    -0.9067E-04     0.7777E-05
11     0.000   0.2356E-03     0.4818E-05     0.8105E-07    -0.5322E-08
12     0.000   0.6869E-03    -0.1900E-04     0.1143E-05    -0.2409E-07
（表２０）
レンズ群データ
群          始面          焦点距離
1              1            -13.63
2              6             10.50
3             11             18.04
【００５１】
［数値実施例６］
図２１〜図２４と表２１〜表２４は、本発明によるズームレンズ系の数値実施例６を示している。図２１は、短焦点距離端における無限遠合焦時のレンズ構成図である。図２２、図２３、図２４はそれぞれ、短焦点距離端、中間焦点距離、長焦点距離端それぞれの無限遠合焦時の諸収差図である。表２１は面データ、表２２は各種データ、表２３は非球面データ、表２４はレンズ群データである。
【００５２】
（表２１）
面データ
面番号          r          d          N(d)        νｄ
1          -147.609      0.700      1.72916       54.7
2             6.732      1.692
3*           12.535      1.930      1.63550       23.9
4*           37.051        d4
5絞            ∞        0.650
6             6.035      2.280      1.88300       40.8
7           -19.954      0.740      2.00272       19.3
8            64.149      0.299
9*            7.382      1.000      1.63550       23.9
10*           4.015       d10
11*         146.897      1.830      1.54358       55.7
12*         -10.149       d12
13             ∞        0.300      1.51680       64.2
14             ∞        0.560
15             ∞        0.500      1.51680       64.2
16             ∞          -
＊は回転対称非球面である。
（表２２）
各種データ
ズーム比（変倍比）    4.83
短焦点距離端          中間焦点距離          長焦点距離端
FNO.            3.6                   5.4                   6.0
f              4.70                 10.30                 22.70
W              42.5                  21.9                  10.2
Y              3.59                  4.08                  4.08
fB             0.59                  0.59                  0.59
L             36.20                 32.12                 38.80
d4           16.472                 6.028                 0.610
d10           2.895                10.375                23.184
d12           3.626                 2.506                 1.800
（表２３）
非球面データ（表示していない非球面係数は0.00である）
面番号   K          A4             A6             A8            A10
3      0.000  -0.1840E-03     0.2586E-05     0.1919E-06    -0.5208E-08
4      0.000  -0.4095E-03    -0.3670E-05     0.4065E-06    -0.1229E-07
9      2.090  -0.1583E-02    -0.9607E-04    -0.8475E-06    -0.2494E-06
10    -0.110   0.7766E-03     0.6135E-04    -0.1587E-04     0.1434E-05
11     0.000   0.4522E-03    -0.3210E-04     0.2814E-05    -0.7709E-07
12     0.000   0.9701E-03    -0.5396E-04     0.3894E-05    -0.9832E-07
（表２４）
レンズ群データ
群          始面          焦点距離
1              1            -13.43
2              6             10.51
3             11             17.54
【００５３】
［数値実施例７］
図２５〜図２８と表２５〜表２８は、本発明によるズームレンズ系の数値実施例７を示している。図２５は、短焦点距離端における無限遠合焦時のレンズ構成図である。図２６、図２７、図２８はそれぞれ、短焦点距離端、中間焦点距離、長焦点距離端それぞれの無限遠合焦時の諸収差図である。表２５は面データ、表２６は各種データ、表２７は非球面データ、表２８はレンズ群データである。
【００５４】
（表２５）
面データ
面番号          r          d          N(d)        νｄ
1          -135.883      0.700      1.72916       54.7
2             6.777      2.025
3*           16.290      1.930      1.63550       23.9
4*           91.631        d4
5絞            ∞        0.650
6             6.486      2.280      1.88300       40.8
7           -19.667      0.740      2.00272       19.3
8            53.847      0.679
9*            7.624      1.000      1.63550       23.9
10*           4.575       d10
11*          51.619      1.830      1.54358       55.7
12*         -12.118       d12
13             ∞        0.300      1.51680       64.2
14             ∞        0.560
15             ∞        0.500      1.51680       64.2 
16             ∞          -
＊は回転対称非球面である。
（表２６）
各種データ
ズーム比（変倍比）    4.72
短焦点距離端          中間焦点距離          長焦点距離端
FNO.            3.5                   5.3                   6.0
f              4.70                 10.00                 22.20
W              42.5                  22.6                  10.4
Y              3.59                  4.08                  4.08
fB             0.59                  0.59                  0.59
L             37.20                 32.95                 39.54
d4           16.660                 6.128                 0.418
d10           2.859                10.219                23.391
d12           3.750                 2.676                 1.800
（表２７）
非球面データ（表示していない非球面係数は0.00である）
面番号   K          A4             A6             A8            A10
3      0.000  -0.1174E-03     0.5039E-06     0.2271E-06    -0.6072E-08
4      0.000  -0.3576E-03    -0.4429E-05     0.3568E-06    -0.1108E-07
9      3.129  -0.1283E-02    -0.1059E-03    -0.3405E-06    -0.5529E-06
10    -0.021   0.1161E-02     0.2788E-04    -0.7900E-05     0.3064E-06
11     0.000   0.5854E-03    -0.3847E-04     0.3002E-05    -0.7604E-07
12     0.000   0.1064E-02    -0.6464E-04     0.4366E-05    -0.1052E-06
（表２８）
レンズ群データ
群          始面          焦点距離
1              1            -13.47
2              6             10.87
3             11             18.24
【００５５】
［数値実施例８］
図２９〜図３２と表２９〜表３２は、本発明によるズームレンズ系の数値実施例８を示している。図２９は、短焦点距離端における無限遠合焦時のレンズ構成図である。図３０、図３１、図３２はそれぞれ、短焦点距離端、中間焦点距離、長焦点距離端それぞれの無限遠合焦時の諸収差図である。表２９は面データ、表３０は各種データ、表３１は非球面データ、表３２はレンズ群データである。
【００５６】
（表２９）
面データ
面番号          r          d          N(d)        νｄ
1          -117.193      0.700      1.75500       52.3
2             6.806      1.920
3*           15.850      1.930      1.63550       23.9
4*          134.772        d4
5絞            ∞        0.650
6             6.547      2.280      1.88300       40.8
7           -23.983      0.740      1.94594       18.0
8            43.225      0.696
9*            7.698      1.000      1.63550       23.9
10*           4.633       d10
11*          47.365      1.830      1.54358       55.7
12*         -12.336       d12
13             ∞        0.300      1.51680       64.2
14             ∞        0.560
15             ∞        0.500      1.51680       64.2
16             ∞          -
＊は回転対称非球面である。
（表３０）
各種データ
ズーム比（変倍比）    4.72
短焦点距離端          中間焦点距離          長焦点距離端
FNO.            3.5                   5.3                   6.0
f              4.70                 10.00                 22.20
W              42.5                  22.5                  10.4
Y              3.59                  4.08                  4.08
fB             0.59                  0.59                  0.59
L             37.20                 33.06                 39.88
d4           16.691                 6.169                 0.550
d10           2.858                10.255                23.671
d12           3.789                 2.776                 1.800
（表３１）
非球面データ（表示していない非球面係数は0.00である）
面番号   K          A4             A6             A8            A10
3      0.000  -0.6469E-04     0.8968E-06     0.2215E-06    -0.5423E-08
4      0.000  -0.3177E-03    -0.4275E-05     0.3587E-06    -0.1090E-07
9      3.247  -0.1384E-02    -0.1091E-03     0.3803E-06    -0.5841E-06
10    -0.040   0.1035E-02     0.1902E-04    -0.6432E-05     0.2487E-06
11     0.000   0.5933E-03    -0.3927E-04     0.3051E-05    -0.7615E-07
12     0.000   0.1087E-02    -0.6513E-04     0.4372E-05    -0.1043E-06
（表３２）
レンズ群データ
群          始面          焦点距離
1              1            -13.41
2              6             10.93
3             11             18.20
【００５７】
各数値実施例の各条件式に対する値を表３３に示す。
（表３３）
実施例１     実施例２     実施例３     実施例４
条件式（１）     2.16         2.16         2.16         2.16
条件式（２）    -1.30        -1.30        -1.30        -1.30
条件式（３）    -1.86        -1.96        -2.01        -1.66
条件式（４）    -2.08        -2.11        -2.11        -2.09
条件式（５）     3.42         3.20         2.97         3.80
条件式（６）    1.883        1.883        1.883        1.883
条件式（７）     20.9         20.9         20.9         18.0
条件式（８）     4.21         4.22         4.23         4.22
条件式（９）     1.15         1.14         1.14         1.14
実施例５     実施例６     実施例７     実施例８
条件式（１）     2.16         2.16         2.04         2.03
条件式（２）    -1.30        -1.28        -1.24        -1.23
条件式（３）    -1.64        -1.85        -1.50        -1.34
条件式（４）    -2.09        -2.15        -2.29        -2.09
条件式（５）     3.78         3.38         4.00         4.02
条件式（６）    1.883        1.883        1.883        1.883
条件式（７）     20.9         19.3         19.3         18.0
条件式（８）     4.22         4.20         4.09         4.07
条件式（９）     1.14         1.15         1.16         1.16
【００５８】
表３３から明らかなように、数値実施例１〜数値実施例８は、条件式（１）〜（９）を満足しており、諸収差図から明らかなように諸収差は比較的よく補正されている。
【符号の説明】
【００５９】
Ｇ１  負の屈折力を持つ第１レンズ群
１１  負レンズ
１２  正レンズ
Ｇ２  正の屈折力を持つ第２レンズ群
２１  正レンズ
２２  負レンズ
２３  負レンズ
Ｇ３  正の屈折力を持つ第３レンズ群
３１  正レンズ
ＯＰ  光学フィルタ
ＣＧ  カバーガラス
Ｓ  絞り
Ｉ  像面
【図１】
0005587113.tif 000002
【図２】
0005587113.tif 000003
【図３】
0005587113.tif 000004
【図４】
0005587113.tif 000005
【図５】
0005587113.tif 000006
【図６】
0005587113.tif 000007
【図７】
0005587113.tif 000008
【図８】
0005587113.tif 000009
【図９】
0005587113.tif 000010
【図１０】
0005587113.tif 000011
【図１１】
0005587113.tif 000012
【図１２】
0005587113.tif 000013
【図１３】
0005587113.tif 000014
【図１４】
0005587113.tif 000015
【図１５】
0005587113.tif 000016
【図１６】
0005587113.tif 000017
【図１７】
0005587113.tif 000018
【図１８】
0005587113.tif 000019
【図１９】
0005587113.tif 000020
【図２０】
0005587113.tif 000021
【図２１】
0005587113.tif 000022
【図２２】
0005587113.tif 000023
【図２３】
0005587113.tif 000024
【図２４】
0005587113.tif 000025
【図２５】
0005587113.tif 000026
【図２６】
0005587113.tif 000027
【図２７】
0005587113.tif 000028
【図２８】
0005587113.tif 000029
【図２９】
0005587113.tif 000030
【図３０】
0005587113.tif 000031
【図３１】
0005587113.tif 000032
【図３２】
0005587113.tif 000033
【図３３】
0005587113.tif 000034